(57)【要約】【課題】コネクタのハウジングを電子機器の接続端子の近傍に係止して接続端子からのコネクタの抜脱を防止することができる抜脱防止具を提供する。【解決手段】電子機器の端子部に備えられた接続端子に接続可能なＨＤＭＩケーブル２０のコネクタ２０ｄをハウジング２１に格納し、接続端子からコネクタ２０ｄの抜脱を防止する抜脱防止具であって、ハウジング２１に設けられた係止体３０、３２が端子部に係止されることにより、ハウジング２１が端子部に装着できるようになっており、コネクタ２０ｄを覆う開閉可能な覆体２２を閉じたとき、他側部２４ｃの外面に当接可能な側覆部２２ｃに形成された係合孔２２ｄが、ハウジング２１の他側部２４ｃに突設された係合部２４ｄを係止する。【選択図】図３
2010114006.tif 000002
【特許請求の範囲】
【請求項１】
接続端子に接続するコネクタを格納し、該接続端子からの該コネクタの抜脱を防止する抜脱防止具であって、
前記コネクタを格納するハウジングと、
該ハウジングに設けられており、前記接続端子の近傍に係止される係止体と
を有することを特徴とする抜脱防止具。
【請求項２】
前記ハウジングは、前記接続端子に対向する正面側に、前記コネクタの接続側の正面が覗く開口部を有し、
前記係止体は前記開口部の縁部の一部に形成されていることを特徴とする請求項１に記載の抜脱防止具。
【請求項３】
前記ハウジングは箱状をなし、
該ハウジングに格納する前記コネクタを覆う開閉が可能な覆体と、
該ハウジングの一方の側部に形成された被係止部と
を含み、
前記覆体は、
前記側部の外面に当接が可能な側覆部と、
該側覆部に形成されており、前記被係止部を係止する係止部と
を有することを特徴とする請求項１又は２に記載の抜脱防止具。
【請求項４】
前記コネクタの背面にケーブルが結合されており、
前記ハウジングは背面側に前記ケーブルの挿通孔を有し、
前記コネクタの背面は前記挿通孔の縁部に当接することが可能になっていることを特徴とする請求項１から３までのいずれか一つに記載の抜脱防止具。
【請求項５】
前記ハウジングは前記コネクタの背面を露出させる背面開口部を有し、
前記覆体は、前記背面開口部の一部を覆っており、前記ケーブルの挿通孔が形成された背覆部を有することを特徴とする請求項４に記載の抜脱防止具。
【請求項６】
前記ハウジングは無蓋箱状をなし、該ハウジングの一側部及び他側部の縁部の一部に、前記ハウジングに格納する前記コネクタを係止することが可能な係止突起が、それぞれ前記ハウジングの内面に斜め向きに設けられていることを特徴とする請求項１又は２に記載の抜脱防止具。
【請求項７】
前記ハウジングは、
前記接続端子に対向する正面側に、前記コネクタの接続側の正面が覗く開口部を有しており、背面側が開放された箱状の前ハウジングと、
該前ハウジングに摺動自在になっており、正面側が開放された箱状の後ハウジングと
を有することを特徴とする請求項１に記載の抜脱防止具。
【請求項８】
前記係止体は前記開口部の縁部の一部に形成されており、
前記後ハウジングは背面側に前記コネクタの背面に結合されたケーブルの挿通孔を有し、
前記コネクタの正面は、前記前ハウジング内面の前記開口部の縁部に当接し、該コネクタの背面は、前記後ハウジング内面の前記挿通孔の縁部に当接することが可能になっていることを特徴とする請求項７に記載の抜脱防止具。
【請求項９】
前記前ハウジングの両側部の外側に前記後ハウジングを案内する案内部を有し、
前記後ハウジングの両側部の内側にそれぞれ前記案内部に嵌合する滑動部を有することを特徴とする請求項７又は８に記載の抜脱防止具。
【請求項１０】
前記前ハウジングの外側に係止部が設けられており、
前記後ハウジングは、開放された正面側の縁部の一部に、前記係止部に係止されており、係止解除の操作ができる弾性変形が可能な被係止部を有することを特徴とする請求項７から９までのいずれか一つに記載の抜脱防止具。
【請求項１１】
接続端子及び該接続端子の近傍に設けられた被係止体を備える電子機器であって、
前記請求項１から１０までのいずれか一つに記載の抜脱防止具の前記係止体が、前記被係止体に係止されることにより、該抜脱防止具の装着が可能になっていること特徴とする電子機器。
【請求項１２】
前記接続端子の近傍に孔が設けられており、
前記被係止体は前記孔の周縁部の内側に突設された被係止筒からなり、
前記係止体は前記被係止筒に挿通することが可能になっていることを特徴とする請求項１１に記載の電子機器。
【発明の詳細な説明】
【技術分野】
【０００１】
本発明は、接続端子からのコネクタの抜脱を防止する抜脱防止具及び該抜脱防止具の装着が可能な電子機器に関する。
【背景技術】
【０００２】
従来、液晶表示パネル及びプラズマ表示パネル等の薄型表示パネルを搭載した薄型テレビジョンが利用されている。テレビジョン放送局の放送方式は、近年デジタル化が進展し、ＢＳデジタル放送、ＣＳデジタル放送及び地上デジタル放送等が開始されている。
テレビジョンに接続されるデジタルビデオディスクレコーダ及びハードディスクドライブ等の外部機器もデジタル化が進展し、伝送経路もデジタル化が進展している。音声用及び映像用のケーブルが接続されるテレビジョンなどの映像機器には、ＲＣＡ端子、Ｓ端子及びＤ端子等に加え、デジタル高画質及び高音質に対応したＤＶＩ端子及びＨＤＭＩ端子などが設けられている。
【０００３】
映像機器のデジタル化の進展に伴い、映像機器に接続されているデジタル伝送用のケーブルの視聴ユーザによる接続及び切り離しの頻度が高まっており、視聴ユーザによるケーブルの接続等を簡易に行わせることができるように構成することが要望されている。
【０００４】
映像をデジタル伝送するケーブルとしては、例えばＤＶＩケーブル及びＨＤＭＩケーブル等があり、それぞれＤＶＩ端子及びＨＤＭＩ端子に接続される。
例えばテレビジョンの端子部に設けられたＤＶＩ端子には、該ＤＶＩ端子の両側にＤＶＩケーブルのコネクタをビスで固定するための螺子孔が設けられている。即ちＤＶＩ端子では、ＤＶＩケーブルのコネクタの両側に固定用のビスが、標準で固定具として装備されており、ＤＶＩケーブルのコネクタの前端部に突設された端子（雄型の端子）をテレビジョンのＤＶＩ端子（雌型の端子）に接続して、ビスでＤＶＩケーブルのコネクタをＤＶＩ端子に固定することができるようになっている。
【０００５】
これに対して、ＨＤＭＩ端子では、ＨＤＭＩケーブルのコネクタに標準で固定具が装備されておらず、ＨＤＭＩケーブルのコネクタの前端部に突設された端子（雄型の端子）をＨＤＭＩ端子（雌型の端子）に直接接続することにより固定している。このためＨＤＭＩケーブルはＤＶＩケーブルに比べて容易に抜脱し易い。
【０００６】
ＨＤＭＩ端子ではＨＤＭＩケーブルとの接続が雌雄の端子の差し込みだけであるため、ＨＤＭＩケーブルの差し込み方向と交差する方向にＨＤＭＩケーブル自体の重さなどの外力が作用する場合又はＨＤＭＩケーブル自体に捻れが生じている場合等には、接続する端子自体に直接的な負荷が大きくかかり、故障を引き起こす可能性が有り得る。
またＨＤＭＩ端子においてＨＤＭＩケーブルを抜き差しする場合、抜き差し方向が偏っていたとき、端子のピンが折れる又は曲がる可能性があり、さらにＨＤＭＩケーブルを何かに引っかけた場合、ＨＤＭＩ端子からＨＤＭＩケーブルが抜け落ちる可能性も有り得る。
【０００７】
この種のＨＤＭＩケーブルがテレビジョンなどのＨＤＭＩ端子から抜け落ちることを防止するために、抜脱防止具が利用されている。
図１６は従来のテレビジョンのＨＤＭＩ端子部を示す部分背面斜視図、図１７は従来の抜脱防止具を示す部分側断面図、図１８はＨＤＭＩケーブルを示す平面図である。
従来のテレビジョン７の背面側には、ＨＤＭＩ端子８ａなどを並設した端子部８が設けられている。ＨＤＭＩ端子８ａの近傍には、市販品の抜脱防止具１を取り付けるための螺子孔８ｂが一個設けられている。
市販品の抜脱防止具１は、ＨＤＭＩケーブル６のコネクタ４を格納する矩形筒状のハウジング部２と、ハウジング部２をテレビジョン７のＨＤＭＩ端子部８に固定するための螺子棒３と、ハウジング部２の一側部に螺子棒３の周縁部を回転可能に支持する支持部５とを有する。支持部５の一端部から螺子棒３の先端部の螺子部３ａが突出しており、他端部から螺子棒３を手回し可能な抓み部３ｂが突出している。
【０００８】
ハウジング部２の内部の長手方向に段部２ａ、２ｂが二箇所形成されており、各段部２ａ、２ｂから長手方向に幅狭になっている。即ち、ハウジング部２の長手方向の略中央部の幅に対して、一端部側の開口部２ｃは幅広に、他端部側の開口部２ｄは幅狭に形成されている。幅広の開口部２ｃ側に螺子棒３の抓み部３ｂが設けられている。
【０００９】
ＨＤＭＩケーブル６のコネクタ４は平面視凸字状をなしており、ハウジング部２の段部２ａ、２ｂに対応してコネクタ４に段部４ａ、４ｂが形成されている。ＨＤＭＩケーブル６のコネクタ４が、ハウジング部２の幅広の開口部２ｃから格納されたとき、コネクタ４のそれぞれの段部４ａ、４ｂが、ハウジング部２の段部２ａ、２ｂにそれぞれ当接して係止されるようになっている。
【００１０】
コネクタ４の接続側の前端部に、テレビジョン７のＨＤＭＩ端子８ａ（雌型の端子）に接続する雄型の端子６ａが突設されている。
【００１１】
抜脱防止具１を用いてＨＤＭＩケーブル６をＨＤＭＩ端子８ａに接続する場合、先ず、抜脱防止具１のハウジング部２に開口部２ｃからＨＤＭＩケーブル６のコネクタ４を嵌着し、ＨＤＭＩ端子８ａにＨＤＭＩケーブル６の端子６ａを差し込む。
次に、螺子棒３の螺子部３ａをＨＤＭＩ端子８ａの近傍の螺子孔８ｂに挿入し、螺子棒３の抓み部３ｂを回していったとき、螺子部３ａが螺子孔８ｂに螺合する。
そして螺子部３ａが螺合したとき、ＨＤＭＩケーブル６のコネクタ４を格納した抜脱防止具１が、ＨＤＭＩ端子部８に固定される。
このように従来の抜脱防止具１では、抜脱防止具１が固定されたとき、ＨＤＭＩケーブル６がＨＤＭＩ端子８ａから抜け落ちない。
【００１２】
ところで自動車等に搭載される電気接続箱において、コネクタハウジングにコネクタを嵌合接続する場合、それぞれに設けてある係合部が嵌合することにより、嵌合状態が保持されるコネクタ抜脱防止機構が提案されている（特許文献１）。
【特許文献１】特開２０００−１９５６１６号公報
【発明の開示】
【発明が解決しようとする課題】
【００１３】
しかしながら従来の抜脱防止具１では、ＨＤＭＩケーブル６のコネクタ４をＨＤＭＩ端子８ａに差し込む方向と抜脱防止具１に格納する方向とが同じ方向であるため、ＨＤＭＩケーブル６を格納方向と反対側に引いた場合、ＨＤＭＩ端子８ａ及び抜脱防止具１に対してＨＤＭＩケーブル６が抜ける可能性がある。
また従来の抜脱防止具１では、ＨＤＭＩケーブル６自体の重さ及び捻れにより端子に作用する負荷について配慮されておらず、さらにＨＤＭＩケーブル６の抜き差し方向を一定方向に規制して端子ピンの折れ曲がりを防止する構成についても配慮されておらず、改善の余地がある。
また特許文献１のようなコネクタ抜脱防止機構では、コネクタに予め係合部を設けておく必要があり、ＨＤＭＩケーブル６のような汎用品の場合にはＨＤＭＩケーブル６のコネクタ４に係合部を予め設けておくことができない。
【００１４】
本発明は、このような事情に鑑みてなされたものであって、その目的とするところは、コネクタを格納するハウジングに係止体を備えることにより、コネクタのハウジングを電子機器の接続端子の近傍に係止して接続端子からのコネクタの抜脱を防止することができる抜脱防止具及び該抜脱防止具を装着することができる電子機器を提供することにある。
【課題を解決するための手段】
【００１５】
本発明の抜脱防止具は、接続端子に接続するコネクタを格納し、該接続端子からの該コネクタの抜脱を防止する抜脱防止具であって、前記コネクタを格納するハウジングと、該ハウジングに設けられており、前記接続端子の近傍に係止される係止体とを有することを特徴とする。
【００１６】
このような構成の本発明の抜脱防止具では、接続端子に接続するコネクタをハウジングに格納し、ハウジングの係止体が接続端子の近傍に係止される。
コネクタに接続端子から抜け出る方向に外力が作用した場合、抜脱防止具は接続端子からのコネクタの抜脱を防止する。
【００１７】
本発明の抜脱防止具は、前記ハウジングは、前記接続端子に対向する正面側に、前記コネクタの接続側の正面が覗く開口部を有し、前記係止体は前記開口部の縁部の一部に形成されていることを特徴とする。
【００１８】
このような構成の本発明の抜脱防止具では、ハウジングが接続端子の近傍に係止される場合、ハウジングの係止と連動して、ハウジングに格納したコネクタが、開口部を介して接続端子に接続する。
【００１９】
本発明の抜脱防止具は、前記ハウジングは箱状をなし、該ハウジングに格納する前記コネクタを覆う開閉が可能な覆体と、該ハウジングの一方の側部に形成された被係止部とを含み、前記覆体は、前記側部の外面に当接が可能な側覆部と、該側覆部に形成されており、前記被係止部を係止する係止部とを有することを特徴とする。
【００２０】
このような構成の本発明の抜脱防止具では、覆体を開く場合、覆体の側覆部に形成された係止部が、ハウジングの側部の被係止部の係止を解除する。覆体を閉じる場合、側覆部の係止部がハウジングの側部の被係止部を係止する。
【００２１】
本発明の抜脱防止具は、前記コネクタの背面にケーブルが結合されており、前記ハウジングは背面側に前記ケーブルの挿通孔を有し、前記コネクタの背面は前記挿通孔の縁部に当接することが可能になっていることを特徴とする。
【００２２】
このような構成の本発明の抜脱防止具では、コネクタの背面が挿通孔の縁部に当接し、ケーブルが挿通孔を挿通する。挿通孔はケーブルの長手方向と交差する方向の移動を拘束する。
【００２３】
本発明の抜脱防止具は、前記ハウジングは前記コネクタの背面を露出させる背面開口部を有し、前記覆体は、前記背面開口部の一部を覆っており、前記ケーブルの挿通孔が形成された背覆部を有することを特徴とする。
【００２４】
このような構成の本発明の抜脱防止具では、該抜脱防止具を接続端子の近傍に装着する場合、接続端子の近傍にハウジングを係止した後、ハウジングに背面開口部からコネクタを格納して接続端子に接続し、覆体を閉じる。覆体を閉じたとき、背覆部がハウジングの背面開口部の一部を覆い、挿通孔にケーブルが挿通する。
接続端子の近傍にハウジングを係止した状態で、ハウジングの覆体を開いた場合、覆体の背覆部が背面開口部の覆いを解除して、コネクタの背面が背面開口部から露出する。
したがって本発明の抜脱防止具では、接続端子の近傍にハウジングを係止した状態を維持しながら、接続端子からコネクタを抜き出して、ハウジングからコネクタを取り出すことが可能になる。
【００２５】
本発明の抜脱防止具は、前記ハウジングは無蓋箱状をなし、該ハウジングの一側部及び他側部の縁部の一部に、前記ハウジングに格納する前記コネクタを係止することが可能な係止突起が、それぞれ前記ハウジングの内面に斜め向きに設けられていることを特徴とする。
【００２６】
このような構成の本発明の抜脱防止具では、ハウジングの上方からコネクタを格納する場合、コネクタが係止突起を押圧してハウジングの一側部及び他側部の間に嵌入し、係止突起はコネクタをハウジング内に係止する。
【００２７】
本発明の抜脱防止具は、前記ハウジングは、前記接続端子に対向する正面側に、前記コネクタの接続側の正面が覗く開口部を有しており、背面側が開放された箱状の前ハウジングと、該前ハウジングに摺動自在になっており、正面側が開放された箱状の後ハウジングとを有することを特徴とする。
【００２８】
このような構成の本発明の抜脱防止具では、後ハウジングが前ハウジングに対して自在に摺動し、前ハウジング及び後ハウジングがコネクタの大きさに合わせてコネクタを格納し、コネクタがハウジングの開口部を介して接続端子に接続する。
【００２９】
本発明の抜脱防止具は、前記係止体は前記開口部の縁部の一部に形成されており、前記後ハウジングは背面側に前記コネクタの背面に結合されたケーブルの挿通孔を有し、前記コネクタの正面は、前記前ハウジング内面の前記開口部の縁部に当接し、該コネクタの背面は、前記後ハウジング内面の前記挿通孔の縁部に当接することが可能になっていることを特徴とする。
【００３０】
このような構成の本発明の抜脱防止具では、コネクタの大きさに合わせて前ハウジング及び後ハウジングが、コネクタを格納した場合、コネクタの正面は前ハウジング内面の開口部の縁部に当接し、コネクタの背面は後ハウジング内面の挿通孔の縁部に当接して、コネクタの正背面方向の移動を拘束する。
コネクタの背面が後ハウジング内面の挿通孔の縁部に当接して、ケーブルが挿通孔に挿通したとき、挿通孔はケーブルの長手方向と交差する方向の移動を拘束する。
【００３１】
本発明の抜脱防止具は、前記前ハウジングの両側部の外側に前記後ハウジングを案内する案内部を有し、前記後ハウジングの両側部の内側にそれぞれ前記案内部に嵌合する滑動部を有することを特徴とする。
【００３２】
このような構成の本発明の抜脱防止具では、前ハウジングの案内部に後ハウジングの滑動部が嵌合し、案内部は後ハウジングを案内する。
【００３３】
本発明の抜脱防止具は、前記前ハウジングの外側に係止部が設けられており、前記後ハウジングは、開放された正面側の縁部の一部に、前記係止部に係止されており、係止解除の操作ができる弾性変形が可能な被係止部を有することを特徴とする。
【００３４】
このような構成の本発明の抜脱防止具では、前ハウジング及び後ハウジングがコネクタを格納する場合、係止部が被係止部を係止しているとき、被係止部を押圧して係止部の係止を解除した後、後ハウジングが摺動し、前ハウジングに対する後ハウジングの位置をコネクタの大きさに合わせて調整する。
前ハウジングに対する後ハウジングの位置を調整した後、前ハウジングの係止部が、後ハウジングの被係止部を係止して前ハウジングに対する後ハウジングの摺動を拘束する。
【００３５】
本発明の電子機器は、接続端子及び該接続端子の近傍に設けられた被係止体を備える電子機器であって、前述の抜脱防止具の前記係止体が、前記被係止体に係止されることにより、該抜脱防止具の装着が可能になっていること特徴とする。
【００３６】
このような構成の本発明の電子機器では、抜脱防止具の係止体及び電子機器の被係止体により抜脱防止具を装着する。
【００３７】
本発明の電子機器は、前記接続端子の近傍に孔が設けられており、前記被係止体は前記孔の周縁部の内側に突設された被係止筒からなり、前記係止体は前記被係止筒に挿通することが可能になっていることを特徴とする。
【００３８】
このような本発明の電子機器では、係止体が被係止体の被係止筒に挿通し、被係止筒は係止体を案内して係止し又は係止の解除をし、コネクタの抜き差し方向が偏らない。
【発明の効果】
【００３９】
本発明の抜脱防止具は、コネクタを格納するハウジングに係止体を設けているので、コネクタのハウジングが接続端子の近傍に係止されることにより、接続端子からのコネクタの抜脱を防止することができるという効果を有する。
また本発明の電子機器は、抜脱防止具の係止体が電子機器の被係止体に係止されるので、接続端子からのコネクタの抜脱を防止する抜脱防止具を装着することができるという効果を有する。
【発明を実施するための最良の形態】
【００４０】
以下、図面に基づき、本発明による抜脱防止具及び電子機器の好適な実施の形態を説明する。
好適な実施の形態では電子機器として表示装置を例に挙げ、標準で固定具が装備されていないＨＤＭＩ端子について説明するが、これに限らず、例えばＵＳＢ（Ｕｎｉｖｅｒｓａｌ  Ｓｅｒｉａｌ  Ｂｕｓの略）端子であってもよい。さらに本発明の電子機器には、接続端子の固定具の装備の有無に関わらず、端子部を備えるテレビジョン、パーソナルコンピュータ、デジタルビデオディスクレコーダ等も含まれる。
【００４１】
図１は本発明の実施の形態１に係る電子機器の端子部の部分背面斜視図、図２はＨＤＭＩ端子部の背面図である。
実施の形態１に係る電子機器は、音声用及び映像用などのケーブルを接続するために、電子機器のリアキャビネット１０の一部を凹ませて形成された端子部１１を備える。端子部１１に、矩形箱状のＨＤＭＩ端子部１２、１２が、電子機器の背面側を開口して正面方向の内側にさらに凹んだ状態で、横方向に二個並設されている。
ＨＤＭＩ端子部１２の底部をなす背面壁１２ａには、ＨＤＭＩケーブル２０の端子を接続するための矩形状の端子孔１４が長手方向を横向きにして形成されている。
端子孔１４の長手方向の略中央部の下側に、従来の抜脱防止具を取り付けるための螺子孔８ｂが形成されている。
【００４２】
端子孔１４の長手方向の両端部１４ａ、１４ｂ近傍に、ＨＤＭＩケーブル２０のコネクタ２０ｄを格納するハウジング２１の係止体３０、３２を係止するための矩形状の被係止孔１６、１７が、長手方向を縦向きにして形成されている。各被係止孔１６、１７の長手方向は、ＨＤＭＩ端子部１２の縦方向の側壁１２ｂ、１２ｃにそれぞれ略平行になっている。
なお、図１中の白抜き矢印は、抜脱防止具（ハウジング２１）の装着方向を示す。
【００４３】
図２に示す被係止孔１６、１７周縁のＨＤＭＩ端子部１２の内側は筒状になっており、ハウジング２１の係止体３０、３２を挿通して係止するための被係止筒１８、１９が形成されている（後述する図５を参照）。被係止筒１８、１９は被係止体であるだけでなく、係止体３０、３２をＨＤＭＩ端子部１２の内側に案内する案内体としても機能する。
【００４４】
なお、図２中、符号１６ａ、１６ｂは被係止孔１６の長手方向の両端近傍のそれぞれの縁部を示し、符号１７ａ、１７ｂは被係止孔１７の長手方向の両端近傍のそれぞれの縁部を示す。また符号１６ｃはＨＤＭＩ端子部１２の側壁１２ｂ側に位置する被係止孔１６の内側縁を示し、符号１７ｃはＨＤＭＩ端子部１２の側壁１２ｃ側に位置する被係止孔１７の内側縁を示す。Ｌ１は被係止孔１６、１７の中心線間の離間距離を示す。
【００４５】
図３は本発明の実施の形態１に係る抜脱防止具のハウジングにＨＤＭＩケーブルのコネクタを格納した状態を正面方向から視た斜視図、図４はハウジングにＨＤＭＩケーブルのコネクタを格納した状態を背面方向から視た斜視図、図５はコネクタを格納したハウジングをＨＤＭＩ端子部に固定した状態の部分断面図である。
なお、図３及び図４におけるハウジング２１は覆体２２を開けた状態を示す。
抜脱防止具は、樹脂製で一体成形されたハウジング２１からなっており、ＨＤＭＩケーブル２０のコネクタ２０ｄを格納する。
ＨＤＭＩケーブル２０は、標準規格のケーブルの径より大径の円柱状のケーブル結合部２０ｂでケーブル２０ｃを結合した扁平な直方体状のコネクタ２０ｄを有し、コネクタ２０ｄの接続側の前端部２０ｅに、つまりコネクタ２０ｄの正面に雄型の端子２０ａを備えている。コネクタ２０ｄの接続側と反対側の後端部２０ｆに、つまりコネクタ２０ｄの背面にケーブル結合部２０ｂが突出している。
ここで端子２０ａは電子機器の電流の出入り口に付ける外部との連絡のための金具の部分をいう。
【００４６】
ハウジング２１は、無蓋矩形箱状のハウジング部２４と、ハウジング部２４の上部に設けられた開閉可能なアングル状をなす平面視矩形状の覆体２２とを有する。
覆体２２は、ハウジング部２４の矩形状の一側部２４ｂの上縁部２４ａから薄肉部を介して外側に延出されている。即ち、ハウジング部２４の一側部２４ｂの上縁部２４ａと、覆体２２の一側縁２２ａとは、薄肉部により接合されており、覆体２２は上縁部２４ａを回動軸にして薄肉部により弾性的に開閉可能になっている。
覆体２２の他側縁２２ｂには、覆体２２を閉じたとき、ハウジング部２４の矩形状の他側部２４ｃの外面に当接可能な側覆部２２ｃが形成されており、側覆部２２ｃは他側部２４ｃと同形状の矩形状をなし、対面するようになっている。
【００４７】
側覆部２２ｃの長手方向の略中央部には、係止部である係合孔２２ｄが形成されており、他側部２４ｃの長手方向の略中央部に係合孔２２ｄに係止される被係止部である突起状の係合部２４ｄが形成されている。
覆体２２を閉じた場合、ハウジング部２４の他側部２４ｃの係合部２４ｄが、覆体２２の係合孔２２ｄに嵌入して係止されるようになっている。
【００４８】
ハウジング部２４の正面側の全域に矩形状の開口部２３ａが、長手方向を横向きにして形成されており、開口部２３ａにコネクタ２０ｄの前端部２０ｅが覗いている。つまり開口部２３ａは、コネクタ２０ｄの正面が覗くように形成されている。
開口部２３ａを介して、ハウジング部２４に格納されたコネクタ２０ｄの端子２０ａは、ＨＤＭＩ端子部１２のＨＤＭＩ端子１３ａに接続される。
ハウジング部２４の矩形状の背面部２４ｅの長手方向の略中央部に、ＨＤＭＩケーブル２０のケーブル結合部２０ｂを挿通する挿通孔２３ｂが形成されている。挿通孔２３ｂは背面部２４ｅの上縁部から切り欠いて形成されている。挿通孔２３ｂの直径及び切り欠き幅は、ケーブル結合部２０ｂの直径と略同寸法にしている。
【００４９】
ハウジング２１には覆体２２が開いた状態で、ケーブル結合部２０ｂが上方から挿通孔２３ｂに挿入できるようになっており、コネクタ２０ｄは端子２０ａを正面側にしてハウジング部２４内に上方から格納される。
コネクタ２０ｄがハウジング部２４に格納された場合、コネクタ２０ｄの両側部は、ハウジング部２４の一側部２４ｂ及び他側部２４ｃの両内側面にそれぞれ僅かの間隙を介して対面しており、コネクタ２０ｄの後端部２０ｆはハウジング部２４の背面部２４ｅに当接している。
【００５０】
開口部２３ａの長手方向の一方の側縁部２６の上端部近傍及び下端部近傍にそれぞれ段部２６ａ、２６ｂが形成されており、他方の側縁部２８の上端部近傍及び下端部近傍にそれぞれ段部２８ａ、２８ｂが形成されている。
段部２６ａ、２６ｂ及び段部２８ａ、２８ｂから、つまり両側縁部２６、２８の一部から可撓性を有する矩形状の係止体３０、３２が、対向して延出されている。即ち、係止体３０、３２は開口部２３ａから外側に突出しており、段部２６ａ、２６ｂ及び段部２８ａ、２８ｂは、係止体３０、３２のそれぞれの基部に相当している。
【００５１】
コネクタ２０ｄがハウジング部２４に格納された場合、コネクタ２０ｄの端子２０ａは、開口部２３ａから突出するようになっている。ＨＤＭＩケーブル２０の端子２０ａの大きさは規格化されているため、係止体３０、３２の開口部２３ａからの突出量は、端子２０ａの開口部２３ａからの突出量よりも大きくなるようにしている。即ち、係止体３０、３２が先に被係止筒１８、１９と係合して案内されるようにしている。
【００５２】
係止体３０、３２は正面視矩形状をなし、正面の長手方向を縦向きにしている。係止体３０、３２の離間距離Ｌ２は、被係止孔１６、１７の離間距離Ｌ１より被係止孔１６（１７）の横幅程度長くしており、被係止孔１６、１７の縦寸法と係止体３０、３２の縦寸法とは略同寸法にしている。このため、係止体３０、３２は、全体として被係止孔１６（１７）の横幅程度の撓みで被係止孔１６、１７に嵌入可能になっている。
係止体３０、３２のそれぞれの先端部３０ａ、３２ａには、鉤状の突起部３０ｂ、３２ｂが外向きに、つまり横方向にそれぞれ逆向きに突設されている。係止体３０、３２は、ＨＤＭＩ端子部１２の被係止孔１６、１７及び被係止筒１８、１９にそれぞれ突起部３０ｂ、３２ｂから挿通可能になっている。
なお、図３及び図４中、符号３０ｃは係止体３０の外側面を示し、符号３２ｃは係止体３２の外側面を示す。
【００５３】
図５に示すように、被係止孔１６、１７及び被係止筒１８、１９に係止体３０、３２をそれぞれ挿通した場合、ＨＤＭＩ端子部１２にハウジング２１が係止される。
ＨＤＭＩ端子部１２にハウジング２１を係止した場合、ＨＤＭＩケーブル２０の端子２０ａが端子孔１４を介してＨＤＭＩ端子１３ａに接続される。
係止体３０、３２のそれぞれの突起部３０ｂ、３２ｂが被係止筒１８、１９の端部からそれぞれ突出したとき、突起部３０ｂ、３２ｂが被係止筒１８、１９の端部に係止される。
【００５４】
このとき、係止体３０の外側面３０ｃは、被係止筒１８の一方の内側面１８ａに圧接しており、係止体３２の外側面３２ｃは、被係止筒１９の一方の内側面１９ａに圧接している。係止体３０、３２は被係止筒１８、１９の他方の内側面１８ｂ、１９ｂとそれぞれ間隙を介して対向している。
被係止筒１８の一方の内側面１８ａは、被係止孔１６の内側縁１６ｃ側に、即ち側壁１２ｂ側に位置している。被係止筒１９の一方の内側面１９ａは、被係止孔１７の内側縁１７ｃ側に、即ち側壁１２ｃ側に位置している（図２を参照）。
【００５５】
係止体３０、３２が被係止筒１８、１９に係止された場合、係止体３０、３２の基部をなす両側縁部２６、２８のそれぞれの段部２６ａ、２６ｂ及び段部２８ａ、２８ｂは、被係止孔１６、１７の長手方向のそれぞれの縁部１６ａ、１６ｂ及び縁部１７ａ、１７ｂに当接するようになっている（図２を参照）。
【００５６】
図５の白抜き矢印Ａ１、Ａ２の両方向からハウジング２１の側部を押圧して背面側に引き抜いた場合、係止体３０、３２がそれぞれ矢印Ｂ１、Ｂ２の方向に撓み、係止体３０、３２が被係止筒１８、１９からＨＤＭＩ端子部１２の背面側に抜脱するようになっている。
【００５７】
なお、ＨＤＭＩ端子部１２の内側には、被係止筒１８、１９に係止体３０、３２をそれぞれ挿通したときに、ＨＤＭＩケーブル２０の端子２０ａをＨＤＭＩ端子１３ａに接続するようにした端子基板１３が配設されている。
【００５８】
次に実施の形態１に係る抜脱防止具の装着方法について説明する。
抜脱防止具の装着方法は、先ず、覆体２２とハウジング部２４との係合を解除して、覆体２２を開き、ハウジング部２４の上方からＨＤＭＩケーブル２０のコネクタ２０ｄを、端子２０ａを正面側にしてハウジング部２４に格納する。コネクタ２０ｄを格納するとき、ケーブル結合部２０ｂが上方から挿通孔２３ｂに挿通し、コネクタ２０ｄの後端部２０ｆがハウジング部２４の背面部２４ｅの内面に当接する。
【００５９】
次に覆体２２を閉じた場合、ハウジング部２４の他側部２４ｃの係合部２４ｄが、覆体２２の係合孔２２ｄに嵌入し、覆体２２がハウジング部２４に固定される。
【００６０】
次いで、ハウジング部２４の係止体３０、３２の先端部３０ａ、３２ａを被係止孔１６、１７に合わせてそれぞれ押圧した場合、係止体３０、３２が撓み、係止体３０、３２の突起部３０ｂ、３２ｂが、被係止筒１８、１９に入っていく。
【００６１】
そして、係止体３０、３２のそれぞれの突起部３０ｂ、３２ｂが、被係止筒１８、１９の端部から突出したとき、係止体３０、３２は、被係止筒１８、１９に挿通し、元形に復帰して撓みがなくなる。被係止筒１８、１９は、突起部３０ｂ、３２ｂを係止して係止体３０、３２の抜脱を防止する。
【００６２】
係止体３０、３２を被係止筒１８、１９に挿通したとき、被係止筒１８、１９が係止体３０、３２を係止する。
被係止筒１８、１９が係止体３０、３２を係止したとき、係止体３０、３２のそれぞれの基部に相当する段部２６ａ、２６ｂ及び段部２８ａ、２８ｂが、被係止孔１６、１７の縁部１６ａ、１６ｂ及び縁部１７ａ、１７ｂにそれぞれ当接して、ハウジング部２４の開口部２３ａの縁部が、ＨＤＭＩ端子部１２の背面壁１２ａに当接する。
開口部２３ａの縁部が背面壁１２ａに当接したとき、ＨＤＭＩ端子部１２がハウジング２１を係止する。ハウジング２１はＨＤＭＩケーブル２０の自重などの荷重を支え、ＨＤＭＩケーブル２０の端子２０ａ及びＨＤＭＩ端子１３ａにかかる荷重を軽減する。
【００６３】
係止体３０、３２を被係止筒１８、１９に挿通するとき、ＨＤＭＩ端子部１２の被係止筒１８、１９は、ハウジング２１の係止体３０、３２を正面側に案内し、ＨＤＭＩケーブル２０の端子２０ａが、端子基板１３のＨＤＭＩ端子１３ａにピンのずれなく的確に接続する。
【００６４】
被係止筒１８、１９が係止体３０、３２を係止したとき、係止体３０、３２の外側面３０ｃ、３２ｃは、ＨＤＭＩ端子部１２の側壁１２ｂ、１２ｃ寄りの被係止筒１８、１９の内側面１８ａ、１９ａに弾性的に圧接する。
つまり、係止体３０、３２は、被係止筒１８、１９に突起部３０ｂ、３２ｂで係止されるだけでなく、外側面３０ｃ、３２ｃで弾性的に圧接することにより係止されており、ハウジング２１はＨＤＭＩ端子部１２に対して上下方向、左右方向及び前後方向（正背面方向）の動きが規制されている。
【００６５】
ＨＤＭＩケーブル２０のコネクタ２０ｄを格納したハウジング２１を電子機器のＨＤＭＩ端子部１２から取り外す場合、先ず、図５の白抜き矢印Ａ１、Ａ２の両方向からハウジング部２４の一側部２４ｂ及び他側部２４ｃを押圧したとき、係止体３０、３２がそれぞれ図５の矢印Ｂ１、Ｂ２の方向に撓む。
【００６６】
次にハウジング部２４の両側部を押圧した状態で手前側に引いたとき、係止体３０、３２が撓んだ状態で、先端部３０ａ、３２ａのそれぞれの突起部３０ｂ、３２ｂが、被係止筒１８、１９に入っていき、被係止孔１６、１７から背面側に抜け出る。
次いで、突起部３０ｂ、３２ｂが被係止孔１６、１７から抜け出たとき、係止体３０、３２は、撓みがなくなり、被係止筒１８、１９から抜脱する。
そしてＨＤＭＩケーブル２０のコネクタ２０ｄを格納したハウジング２１は、電子機器のＨＤＭＩ端子部１２から外れる。
【００６７】
このように実施の形態１に係る抜脱防止具は、電子機器のＨＤＭＩ端子部１２におけるＨＤＭＩ端子１３ａからＨＤＭＩケーブル２０の抜脱を防止することができ、ＨＤＭＩケーブル２０の端子２０ａ及びＨＤＭＩ端子１３ａにかかる負荷を軽減することができる。
また実施の形態１に係る電子機器では、ＨＤＭＩ端子部１２にＨＤＭＩケーブル２０を抜脱防止具で取り付けることができ、ＨＤＭＩケーブル２０が電子機器の端子部１２から抜け出ることを防止することができる。さらにＨＤＭＩケーブル２０の端子２０ａ及びＨＤＭＩ端子１３ａにかかる負荷を軽減することができる。
【００６８】
なお、ハウジング部２４は無蓋矩形箱状をなしているが、ＨＤＭＩケーブル２０のコネクタ２０ｄの形状に対応した形状であってもよい。またハウジング２１のハウジング部２４に覆体２２がなくても差し支えない。
【００６９】
さらに実施の形態１における係止体３０、３２は、開口部２３ａの両側縁部２６、２８からそれぞれ延出されているが、両側縁部２６、２８から突出する弾性変形可能な鉤状の突起であっても差し支えなく、他の実施の形態においても同様である。
この場合、被係止筒１８、１９はなくてもよく、鉤状の突起である係止体３０、３２が被係止孔１６、１７に係止可能であれば差し支えない。このとき、被係止孔１６、１７が、係止体３０、３２を係止する被係止体になる。
被係止孔１６、１７が鉤状の突起である係止体３０、３２を係止したとき、開口部２３ａの先端部がＨＤＭＩ端子部１２の背面壁１２ａに当接し、ＨＤＭＩ端子部１２がハウジング２１を係止する。
【００７０】
なお、実施の形態１における挿通孔２３ｂはケーブル結合部２０ｂを挿通させているが、ＨＤＭＩケーブル２０のケーブル２０ｃを挿通させるようにしてもよい。この場合、ケーブル結合部２０ｂの後端部が挿通孔２３ｂの縁部に当接する。実施の形態２においても同様にしてもよい。
【００７１】
（実施の形態２）
次に実施の形態２について説明する。
実施の形態２に係る抜脱防止具は、実施の形態１に係る抜脱防止具のハウジング２１の覆体２２と、ハウジング部２４の背面部２４ｅとが一体になったものであり、挿通孔２３ｂの形状を除き、その他の構成は実施の形態１と同様である。
【００７２】
図６は実施の形態２に係る抜脱防止具のハウジングを背面方向から視た斜視図である。
なお、図６のハウジング４０は覆体４２を開いた状態である。実施の形態１と実質的に同一又は対応する部材には同一符号を用いた。
実施の形態２に係る抜脱防止具のハウジング４０は、無蓋箱状のハウジング部４１と、ハウジング部４１の上部に設けられた開閉可能な平面視矩形状の覆体４２とを有する。
ハウジング部４１の正面側及び背面側の全域には、それぞれ矩形状の開口部４１ａ及び背面開口部４１ｂが、長手方向を横向きにして形成されている。
開口部４１ａ側に形成されている係止体３０、３２等の構成は、実施の形態１と同様であるので詳細な説明を省略する。
【００７３】
覆体４２は、ハウジング部４１の矩形状の一側部４１ｃの上縁部４１ｅから薄肉部を介して外側に延出されている。即ち、ハウジング部４１の一側部４１ｃの上縁部４１ｅと、覆体４２の一側縁４２ａとは、薄肉部により接合されており、覆体４２は上縁部４１ｅを回動軸にして薄肉部により弾性的に開閉可能になっている。
覆体４２の他側縁４２ｂには、覆体４２を閉じたとき、ハウジング部４１の矩形状の他側部４１ｄの外面に当接可能な側覆部４２ｃが形成されており、側覆部４２ｃは他側部４１ｄと同形状の矩形状をなし、対面するようになっている。
【００７４】
側覆部４２ｃの長手方向の略中央部には係合孔２２ｄが形成されており、他側部４１ｄの長手方向の略中央部には突起状の係合部２４ｄが形成されている。
覆体４２を閉じる場合の係合孔２２ｄ及び係合部２４ｄの作用は、実施の形態１と同様であるので詳細な説明を省略する。
【００７５】
覆体４２の背面側の縁部４２ｄ及び側覆部４２ｃの背面側の縁部４２ｅからは、覆体４２を閉じたとき、ハウジング部４１の背面側の背面開口部４１ｂを一部覆う背覆部４４が延出されており、背覆部４４は背面開口部４１ｂと略同寸法の矩形状をなしている。
背覆部４４の長手方向の略中央部に、ＨＤＭＩケーブル２０のケーブル結合部２０ｂを挿通する挿通孔４４ａが形成されている。挿通孔４４ａは背覆部４４の下縁部から切り欠いて形成されている。
挿通孔４４ａの直径及び切り欠き幅は、ケーブル結合部２０ｂの直径と略同寸法にしている。
【００７６】
このような実施の形態２に係る抜脱防止具では、先ず、図６に示すハウジング４０をＨＤＭＩ端子部１２に装着するが、ハウジング４０をＨＤＭＩ端子部１２に装着する方法については、実施の形態１と同様であるので詳細な説明を省略する。
【００７７】
次に、ＨＤＭＩ端子部１２にハウジング４０が装着されており、ＨＤＭＩ端子部１２の被係止筒１８、１９がハウジング４０の係止体３０、３２を係止している状態である場合、ＨＤＭＩケーブル２０のコネクタ２０ｄの前端部２０ｅを背面開口部４１ｂから挿入する。
コネクタ２０ｄを背面開口部４１ｂから挿入するとき、コネクタ２０ｄの両側面が、ハウジング部４１の一側部４１ｃ及び他側部４１ｄの両内側面に摺接して、両内側面がコネクタ２０ｄをＨＤＭＩケーブル２０の差し込み方向へ案内し、ＨＤＭＩケーブル２０の端子２０ａが、端子基板１３のＨＤＭＩ端子１３ａにピンのずれなく的確に接続する。
【００７８】
ハウジング部４１の一側部４１ｃ及び他側部４１ｄの両内側面が、コネクタ２０ｄを差し込み方向へ案内するとき、ＨＤＭＩケーブル２０の捻れ方向を拘束し、ケーブル２０ｃの捻れが生じない。
ＨＤＭＩケーブル２０の端子２０ａが、端子基板１３のＨＤＭＩ端子１３ａに接続したとき、コネクタ２０ｄの後端部２０ｆが、ハウジング部４１の背面側の背面開口部４１ｂに臨む。
【００７９】
次いで、覆体４２を閉じていき、挿通孔４４ａの内縁部が上方からケーブル結合部２０ｂに当接し、コネクタ２０ｄの後端部２０ｆが覆体４２の背覆部４４の内面に当接する。
【００８０】
そして、覆体４２を閉じた場合、ハウジング部４１の他側部４１ｄの係合部２４ｄが、覆体４２の側覆部４２ｃの係合孔２２ｄに嵌入し、覆体４２がハウジング部４１に固定され、コネクタ２０ｄがハウジング４０に格納される。
【００８１】
なお、ハウジング４０を電子機器のＨＤＭＩ端子部１２に装着した後に、ＨＤＭＩケーブル２０のコネクタ２０ｄを格納したが、ハウジング４０にＨＤＭＩケーブル２０を格納した後に装着しても差し支えない。
この場合、図４及び図６を参照して、先ず、覆体４２を開けた後、ハウジング部４１の上方からＨＤＭＩケーブル２０のコネクタ２０ｄを、端子２０ａを正面側にしてハウジング部４１に格納する。コネクタ２０ｄを格納するとき、コネクタ２０ｄの後端部２０ｆが、ハウジング部４１の背面側の背面開口部４１ｂに臨む。
【００８２】
次に、覆体４２を閉じていき、挿通孔４４ａの内縁部が上方からケーブル結合部２０ｂに当接し、コネクタ２０ｄの後端部２０ｆが覆体４２の背覆部４４の内面に当接する。
【００８３】
そして、覆体４２を閉じた場合、ハウジング部４１の他側部４１ｄの係合部２４ｄが、覆体４２の側覆部４２ｃの係合孔２２ｄに嵌入し、覆体４２がハウジング部４１に固定される。
ＨＤＭＩケーブル２０のコネクタ２０ｄを格納したハウジング４０をＨＤＭＩ端子部１２に装着する方法については、実施の形態１と同様であるので詳細な説明を省略する。
【００８４】
このような実施の形態２に係る抜脱防止具では、ＨＤＭＩ端子部１２がハウジング４０を係止している場合、ＨＤＭＩケーブル２０の端子２０ａが、端子基板１３のＨＤＭＩ端子１３ａに接続している（図５を参照）。
覆体４２とハウジング部４１との係合を解除して覆体４２を開いたとき、ＨＤＭＩ端子部１２にハウジング４０が係止された状態を維持しながら、ＨＤＭＩ端子１３ａからＨＤＭＩケーブル２０の端子２０ａを手前側に引き抜ける状態になる。
【００８５】
ＨＤＭＩケーブル２０を手前側に引き抜く場合、コネクタ２０ｄの側面が、ハウジング部４１の一側部４１ｃ及び他側部４１ｄの両内側面に摺接して、両内側面がコネクタ２０ｄをＨＤＭＩケーブル２０の抜脱方向へ案内し、ＨＤＭＩケーブル２０の捻れを防止する。
【００８６】
さらに実施の形態２に係る抜脱防止具では、ＨＤＭＩケーブル２０を引き抜いた後、ＨＤＭＩ端子部１２にハウジング４０が係止された状態である場合、覆体４２とハウジング部４１との係合を解除して覆体４２を開いたとき、ＨＤＭＩ端子１３ａにＨＤＭＩケーブル２０の端子２０ａが差し込める状態になる。
【００８７】
ハウジング４０を電子機器のＨＤＭＩ端子部１２から取り外す場合、ハウジング４０の一側部４１ｃ及び他側部４１ｄを内側に押圧して手前側に引いたとき、係止体３０、３２がそれぞれ内側に撓み被係止筒１８、１９から抜け出る（図５の白抜き矢印Ａ１、Ａ２及び矢印Ｂ１、Ｂ２を参照）。詳細は実施の形態１と同様であるので詳細な説明を省略する。
【００８８】
このように実施の形態２に係る抜脱防止具では、電子機器のＨＤＭＩ端子部１２におけるＨＤＭＩ端子１３ａからＨＤＭＩケーブル２０の抜脱を防止することができ、ＨＤＭＩケーブル２０の端子２０ａ及びＨＤＭＩ端子１３ａにかかる負荷を軽減することができる。
さらに実施の形態２に係る抜脱防止具では、ＨＤＭＩケーブル２０の捻れを防止してＨＤＭＩ端子１３ａに抜き差しすることができる。さらにＨＤＭＩ端子１３ａにピンのずれなくＨＤＭＩケーブル２０の端子２０ａを接続することができ、ピンの折れ曲がりを防止することができる。
【００８９】
（実施の形態３）
次に実施の形態３について説明する。
実施の形態３はハウジングの一体成形を容易にするため、実施の形態２に係る抜脱防止具のハウジング４０から覆体４２及び係合部２４ｄを取り除いたものである。実施の形態３のその他の構成は一体成形のために設けた孔を除き、実施の形態２と同様である。
【００９０】
図７は実施の形態３に係る抜脱防止具のハウジングにＨＤＭＩケーブルのコネクタを格納した状態を正面上方向から視た斜視図、図８はハウジングを背面上方向から視た斜視図である。
なお、実施の形態１及び２と実質的に同一又は対応する部材には同一符号を用いた。
実施の形態３に係る抜脱防止具のハウジングは、無蓋箱状のハウジング部４１からなっている。ハウジング部４１の正面側及び背面側の全域には、上部が開放された矩形状の開口部４１ａ及び背面開口部４１ｂが、長手方向を横向きにしてそれぞれ形成されている。
開口部４１ａ側に形成されている係止体３０、３２等の構成は、実施の形態１と同様であるので詳細な説明を省略する。
【００９１】
ハウジング部４１の一側部４１ｃ及び他側部４１ｄは、可撓性を有し、側面視矩形状をなしている。一側部４１ｃ及び他側部４１ｄのそれぞれの上縁部の長手方向の略中央部から、係止突起４５、４６が、斜め下向きで内面に突設されている。
係止突起４５、４６をハウジング部４１と一体成形できるように、ハウジング部４１の底部４１ｆには、それぞれの係止突起４５、４６の下方に、矩形状の孔４５ａ、４６ａが形成されている。
係止突起４５、４６は二個の一対だけでなく、二個以上の複数の対として設けるようにしてもよい。即ち、係止突起４５、４６は一側部４１ｃ及び他側部４１ｄの上縁部の複数箇所から突設されていてもよい。この場合、それぞれの係止突起４５・・、４６・・に対応して、下方に孔を形成すればよい。係止突起４５、４６は対にして形成するのが好ましいが、対になっていなくても差し支えない。
【００９２】
ＨＤＭＩケーブル２０のコネクタ２０ｄを、端子２０ａを正面側にしてハウジング部４１に格納した場合、コネクタ２０ｄの端子２０ａが、正面側の開口部４１ａから突出し、係止突起４５、４６はコネクタ２０ｄをハウジング部４１内に係止するようになっている。
【００９３】
このような実施の形態３に係る抜脱防止具では、ハウジング部４１の上方からコネクタ２０ｄを、端子２０ａを正面側にしてハウジング部４１に格納する場合、コネクタ２０ｄが上方から係止突起４５、４６を押圧したとき、ハウジング部４１の一側部４１ｃ及び他側部４１ｄが、外側に撓み、コネクタ２０ｄがハウジング部４１の一側部４１ｃ及び他側部４１ｄ間に嵌入し、コネクタ２０ｄの端子２０ａが開口部４１ａから突出する。
【００９４】
コネクタ２０ｄが一側部４１ｃ及び他側部４１ｄ間に嵌入したとき、係止突起４５、４６は、コネクタ２０ｄをハウジング部４１内に係止し、コネクタ２０ｄがハウジング部４１に格納される。
実施の形態３に係る抜脱防止具を電子機器のＨＤＭＩ端子部１２に装着する方法及びその作用効果は、実施の形態２と同様であるので詳細な説明を省略する。
【００９５】
このように実施の形態３に係る抜脱防止具では、係止突起４５、４６をハウジング部４１と一体成形するための孔が設けられているので、係止突起４５、４６の一体成形を容易にすることができ、簡易な構造にすることができる。また電子機器のＨＤＭＩ端子部１２におけるＨＤＭＩ端子１３ａからＨＤＭＩケーブル２０の抜脱を防止することができ、ＨＤＭＩケーブル２０の端子２０ａ及びＨＤＭＩ端子１３ａにかかる負荷を軽減することができる。
【００９６】
なお、実施の形態３に係る抜脱防止具では、ハウジング部４１に背面部を設けていないが、実施の形態１と同様の背面部２４ｅを設けていてもよい。
また背面側の背面開口部４１ｂの縁部の一部にコネクタ２０ｄの後端部２０ｆを係止可能な突起を設けていてもよく、背面開口部４１ｂからコネクタ２０ｄが抜け出ないようになっていればよい。
【００９７】
（実施の形態４）
次に実施の形態４について説明する。
ＨＤＭＩケーブル２０のケーブル２０ｃの直径及び端子２０ａの大きさは、規格化されているが、コネクタ２０ｄの大きさは規格化されておらず汎用性がない。このため、実施の形態１及び２では、コネクタ２０ｄの大きさに合わせて適宜スペーサ等を挿入する場合が有り得るが、実施の形態４ではＨＤＭＩケーブル２０のコネクタ２０ｄの大きさに合わせてハウジングの大きさを調節可能にしたものである。
【００９８】
図９は実施の形態４に係る抜脱防止具のハウジングにＨＤＭＩケーブルのコネクタを格納した状態を背面上方向から視た斜視図、図１０は前ハウジングを背面上方向から視た斜視図、図１１は前ハウジングを正面下方向から視た斜視図である。
なお、実施の形態１と実質的に同一又は対応する部材には同一符号を用いた。
実施の形態４に係る抜脱防止具のハウジング５２は、無蓋矩形箱状の前ハウジング５４と、無蓋矩形箱状の後ハウジング７０とを有し、前ハウジング５４及び後ハウジング７０は、長手方向を横向きにして配設されている。
後ハウジング７０は、背面側から正面側に長手方向と交差する方向に、前ハウジング５４を摺動自在に外挿している。後ハウジング７０の案内部である案内溝６２、６４が、前ハウジング５４に設けられており、後ハウジング７０に設けられている滑動部７４、７６が、案内溝６２、６４に嵌入して案内されるようになっている（詳細は後述する）。
【００９９】
ＨＤＭＩケーブル２０のコネクタ２０ｄを、端子２０ａを正面側にしてハウジング５２に格納した場合、前ハウジング５４の正面部５６の開口部５６ａから、ＨＤＭＩケーブル２０の端子２０ａが突出する。後ハウジング７０が前ハウジング５４に外挿されている場合、ケーブル２０ｃが後ハウジング７０の背面部７５の挿通孔７５ｂに挿通しており、コネクタ２０ｄの正面（前端部２０ｅ）及びケーブル結合部２０ｂの背面は、前ハウジング５４の正面部５６及び後ハウジング７０の背面部７５に調節可能に挟持されている（詳細は後述する）。
ハウジング５２を端子部１２に係止させるための係止体３０、３２は、正面部５６から、換言すれば開口部５６ａから突出している。開口部５６ａからの端子２０ａの突出量は、係止体３０、３２の突出量よりも小さくしている。
【０１００】
図１０に示すように、前ハウジング５４の正面部５６の一部には、上部を開放させた矩形状の開口部５６ａが、長手方向を横向きにして形成されており、正面部５６は正面視凹字状をなしている。
開口部５６ａの横幅は、コネクタ２０ｄの端子２０ａの横幅と略同寸法にしている。
前ハウジング５４にコネクタ２０ｄを上方から格納した場合、コネクタ２０ｄの端子２０ａが上方から開口部５６ａに嵌入するようにしている。開口部５６ａの内縁部はコネクタ２０ｄの横方向の移動を拘束するようになっている。
ＨＤＭＩケーブル２０における端子２０ａの横幅寸法は、ＨＤＭＩ端子として規格で定められているため、前ハウジング５４の開口部５６ａは、どのようなＨＤＭＩ端子であっても嵌入可能になっている。
【０１０１】
背面部５７の全域には矩形状の開口部５７ａが、長手方向を横向きにして形成されており、正面部５６と略同形状をなしている。
正面側の開口部５６ａを挟む正面部５６の両側の領域５６ｃ、５６ｄは、長手方向を縦向きにした矩形状をなしている。領域５６ｃ、５６ｄの長手方向の略中央部には、それぞれ可撓性を有する直方体状の係止体３０、３２が、長手方向を正面向きにして、対向して突設されている。係止体３０、３２は側断面矩形状をなし、断面視長手方向を縦向きにして形成されている。
【０１０２】
係止体３０、３２の先端部３０ａ、３２ａには、鉤状の突起部３０ｂ、３２ｂが外向きにそれぞれ突設されている。
係止体３０、３２は、実施の形態１で説明したＨＤＭＩ端子部１２の被係止孔１６、１７及び被係止筒１８、１９にそれぞれ突起部３０ｂ、３２ｂから挿通可能になっており、詳細な説明は省略する。
【０１０３】
前ハウジング５４の両側の側部６０、６１のそれぞれの上端部６０ａ、６１ａに沿っており、上端部６０ａ、６１ａ近傍の外側には、後ハウジング７０を正背面方向に案内する案内溝６２、６４が、背面側から正面側に凹設されている。案内溝６２、６４の正面側には、案内を禁止する禁止部６２ａ、６４ａが形成されている。
【０１０４】
図１１に示すように、前ハウジング５４の底部５５は、底面視矩形状をなしており、底部５５の底面５５ａの長手方向の略中央部に、正面側から背面側にかけて、後ハウジング７０の前ハウジング５４に対する位置決め及び移動禁止をするため、係止部である窪み状の係止穴６８が列設されている。
なお、側部６１の外面６１ｂに係止穴６８が列設される構成にしてもよい。
【０１０５】
図１２は実施の形態４に係る抜脱防止具の後ハウジングを背面上方向から視た斜視図、図１３は後ハウジングを背面下方向から視た斜視図、図１４はハウジングの最縮時の状態の背面上方向から視た斜視図、図１５はハウジングの最伸時の状態の背面上方向から視た斜視図である。
後ハウジング７０の正面部７１の全域には矩形状の開口部７１ａが、長手方向を横向きにして形成されている。
【０１０６】
後ハウジング７０の両側の側部７２、７３のそれぞれの上端部７２ａ、７３ａの内側に沿って、矩形状の滑動部７４、７６が、正面側から背面側近くまでにわたって延出されている。滑動部７４、７６の長手方向は、上端部７２ａ、７３ａとそれぞれ平行になっている。滑動部７４、７６は、前ハウジング５４の案内溝６２、６４にそれぞれ嵌入しており、滑動可能になっている。
【０１０７】
後ハウジング７０の背面部７５は、背面視矩形状をなし、長手方向を横向きにしている。背面部７５の長手方向の略中央部に、ＨＤＭＩケーブル２０のケーブル２０ｃを挿通する挿通孔７５ｂが形成されている。
挿通孔７５ｂは背面部７５の上縁部７５ａから切り欠いて形成されている。挿通孔７５ｂの直径及び切り欠き幅は、ケーブル２０ｃの直径と略同寸法にしている。
ＨＤＭＩケーブル２０におけるケーブル２０ｃの直径は、規格で定められているため、後ハウジング７０の挿通孔７５ｂはどのようなＨＤＭＩケーブルであっても挿通させることができる。
【０１０８】
後ハウジング７０の底部７８には、底部７８の正面側の一端部７８ａの略中央部にて離間する略平行な切り込みが所定寸法だけ一端部７８ａの内側に入っており、弾性変形可能な矩形片８０が、長手方向を横向きにして形成されている。矩形片８０の先端部には、上方向に鉤状の被係止部８２が突設されており、下方向に爪状の操作部８４が突設されている。
被係止部８２は底部７８の上面よりも上方に突出しており（図１２を参照）、操作部８４は底部７８の下面よりも下方に突出している（図１３を参照）。
【０１０９】
後ハウジング７０が前ハウジング５４に外挿されている場合、被係止部８２は係止穴６８に係止されている。操作部８４を背面側に押圧することにより、矩形片８０が弾性変形して、係止穴６８による被係止部８２の係止が、解除されるようになっている。
【０１１０】
被係止部８２が、最も正面側にある係止穴６８に係止された場合、図１４に示すように、抜脱防止具のハウジング５２は、最縮時の状態になる。また被係止部８２が、最も背面側にある係止穴６８に係止された場合、図１５に示すように、ハウジング５２は、最伸時の状態になる。
【０１１１】
ＨＤＭＩケーブル２０のコネクタ２０ｄを、端子２０ａを正面側にしてハウジング５２に格納する場合、実施の形態４に係る抜脱防止具では、コネクタ２０ｄの大きさに合わせて、前ハウジング５４に対する後ハウジング７０の位置を調整して格納可能になっている。後ハウジング７０の位置調整は、ハウジング５２の最縮時から最伸時までの位置範囲において可能である。
【０１１２】
即ち、実施の形態４に係る抜脱防止具では、前ハウジング５４の正面部５６の内側で、開口部５６ａの縁部に、コネクタ２０ｄの前端部２０ｅが当接し、後ハウジング７０の背面部７５の内側で挿通孔７５ｂの縁部に、コネクタ２０ｄのケーブル結合部２０ｂの背面が当接するように、調節可能になっている（図９を参照）。
【０１１３】
次に実施の形態４に係る抜脱防止具のハウジング５２にＨＤＭＩケーブル２０のコネクタ２０ｄを格納する方法及び作用について説明する。
先ず、実施の形態４に係る抜脱防止具では、コネクタ２０ｄの大きさにより、前ハウジング５４に対する後ハウジング７０の位置を背面側に広くして位置決めしておく。位置決めをしたとき、係止穴６８が被係止部８２を係止する。
【０１１４】
次に、コネクタ２０ｄをハウジング５２の上方から前ハウジング５４に格納するとき、コネクタ２０ｄの端子２０ａが、上方から開口部５６ａに嵌入して正面部５６から外側に突出する。
端子２０ａが正面部５６の開口部５６ａから突出したとき、コネクタ２０ｄの前端部２０ｅが、正面部５６の内側の開口部５６ａの縁部に当接し、コネクタ２０ｄの底面が、前ハウジング５４の底部５５に当接して、コネクタ２０ｄが前ハウジング５４に格納される。
コネクタ２０ｄを前ハウジング５４に格納したとき、コネクタ２０ｄの端子２０ａが開口部５６ａに嵌入して、開口部５６ａの内縁部はコネクタ２０ｄの横方向の移動を拘束する。
【０１１５】
次いで、後ハウジング７０の操作部８４を背面側に押圧したとき、つまり操作部８４を手前側に引いたとき、矩形片８０が弾性変形し、係止穴６８による被係止部８２の係止が解除される。
【０１１６】
そして、後ハウジング７０自体を正面側に押したとき、前ハウジング５４の案内溝６２、６４が、後ハウジング７０の滑動部７４、７６を正面側に案内する。
ケーブル結合部２０ｂの背面側が挿通孔７５ｂの縁部に当接したとき、前ハウジング５４の係止穴６８が、後ハウジング７０の被係止部８２を係止して、後ハウジング７０の移動を禁止し、前ハウジング５４の正面部５６及び後ハウジング７０の背面部７５は、コネクタ２０ｄ及びケーブル結合部２０ｂを挟持することにより、コネクタ２０ｄの前後方向（正背面方向）の移動を拘束する。このとき、ＨＤＭＩケーブル２０のケーブル２０ｃが挿通孔７５ｂに挿通しており、挿通孔７５ｂの内縁部はコネクタ２０ｄの横方向の移動を拘束する。
【０１１７】
次に実施の形態４に係る抜脱防止具の装着方法及び作用について説明する。
実施の形態４に係る抜脱防止具の装着方法は、先ず、ハウジング５２にＨＤＭＩケーブル２０のコネクタ２０ｄの大きさに合わせて後ハウジング７０の位置を調節して格納する（図９を参照）。
【０１１８】
次に前ハウジング５４の係止体３０、３２の先端部３０ａ、３２ａを被係止孔１６、１７に合わせてそれぞれ押圧した場合、係止体３０、３２が撓み、係止体３０、３２の突起部３０ｂ、３２ｂが、被係止筒１８、１９に入っていき（図２を参照）、突起部３０ｂ、３２ｂが被係止筒１８、１９の端部から突出する（図５を参照）。
【０１１９】
次いで突起部３０ｂ、３２ｂが突出したとき、係止体３０、３２は、元形に復帰して撓みがなくなり、前ハウジング５４の凹字状をなす正面部５６が、ＨＤＭＩ端子部１２の背面壁１２ａに当接する。
【０１２０】
そして、正面部５６が背面壁１２ａに当接したとき、ＨＤＭＩ端子部１２が、ＨＤＭＩケーブル２０のコネクタ２０ｄを格納したハウジング５２を係止する。
その他の実施の形態４に係る抜脱防止具の装着方法及び作用は、実施の形態１と同様であるので詳細な説明を省略する。
【０１２１】
このように実施の形態４に係る抜脱防止具では、ＨＤＭＩケーブル２０のコネクタ２０ｄの大きさに合わせて後ハウジング７０の位置を調節して、コネクタ２０ｄをハウジング５２に格納することができ、種々の市販品のＨＤＭＩケーブルで使用することができる。ハウジング５２は無蓋であるため、高さの異なるコネクタ２０ｄでも格納することができる。またコネクタ２０ｄをハウジング５２に格納した場合、コネクタ２０ｄの横方向の移動を拘束することができる。さらに抜脱防止具を電子機器のＨＤＭＩ端子部１２に装着した場合、ＨＤＭＩ端子部１２におけるＨＤＭＩ端子１３ａからＨＤＭＩケーブル２０の抜脱を防止することができ、ＨＤＭＩケーブル２０の端子２０ａ及びＨＤＭＩ端子１３ａにかかる自重などの負荷を軽減することができる。
【０１２２】
なお、実施の形態４では、図示する案内溝６２、６４は溝をそれぞれ一個凹設しているが、複数の溝を略平行に凹設するようにしてもよい。また案内溝６２、６４に滑動部７４、７６を嵌入させる構成としたが、案内部が滑動部に嵌合する逆の構成にしてもよい。即ち、逆の構成では、滑動部７４、７６を溝状とし、案内部をレール状に外側に突出する構成にしても差し支えない。
【０１２３】
また実施の形態４では、係止穴６８が底部５５の底面５５ａに、つまり底部５５の外面に列設されているが、前ハウジング５４の両側の側部６０、６１のいずれかの外面に列設されていてもよい。例えば係止穴６８を側部６１の外面６１ｂに列設した場合（図１１を参照）、弾性変形可能な矩形片８０は、後ハウジング７０の側部７３の正面側の縁部に形成して、被係止部８２及び操作部８４を横方向に設けるようにすればよい。
【０１２４】
さらに実施の形態４では実施の形態１及び２のように覆体２２、４２を設けていないが、後ハウジング７０の背面部７５に伸縮自在な幌状又は蛇腹状の蓋体を設けてもよい。また前ハウジング５４及び後ハウジング７０は無蓋箱状をなしている例を挙げたが、入れ子式の矩形筒状をなしていても差し支えない。
【０１２５】
また実施の形態１から４では係止体３０、３２が爪状をなし、被係止体が孔又は筒状をなしているが、逆であってもよい。即ち、被係止体と係止体とは係止可能であれば差し支えない。
さらに実施の形態１から４では、ハウジング２１、４０、５２に格納されるコネクタ２０ｄは、雄型の端子２０ａを例に挙げたが、雌型であっても差し支えない。
【図面の簡単な説明】
【０１２６】
【図１】本発明の実施の形態１に係る電子機器の端子部の部分背面斜視図である。
【図２】ＨＤＭＩ端子部の背面図である。
【図３】本発明の実施の形態１に係る抜脱防止具のハウジングにＨＤＭＩケーブルのコネクタを格納した状態を正面方向から視た斜視図である。
【図４】ハウジングにＨＤＭＩケーブルのコネクタを格納した状態を背面方向から視た斜視図である。
【図５】コネクタを格納したハウジングをＨＤＭＩ端子部に固定した状態の部分断面図である。
【図６】実施の形態２に係る抜脱防止具のハウジングを背面方向から視た斜視図である。
【図７】実施の形態３に係る抜脱防止具のハウジングにＨＤＭＩケーブルのコネクタを格納した状態を正面上方向から視た斜視図である。
【図８】ハウジングを背面上方向から視た斜視図である。
【図９】実施の形態４に係る抜脱防止具のハウジングにＨＤＭＩケーブルのコネクタを格納した状態を背面上方向から視た斜視図である。
【図１０】前ハウジングを背面上方向から視た斜視図である。
【図１１】前ハウジングを正面下方向から視た斜視図である。
【図１２】実施の形態４に係る抜脱防止具の後ハウジングを背面上方向から視た斜視図である。
【図１３】後ハウジングを背面下方向から視た斜視図である。
【図１４】ハウジングの最縮時の状態の背面上方向から視た斜視図である。
【図１５】ハウジングの最伸時の状態の背面上方向から視た斜視図である。
【図１６】従来のテレビジョンのＨＤＭＩ端子部を示す部分背面斜視図である。
【図１７】従来の抜脱防止具を示す部分側断面図である。
【図１８】ＨＤＭＩケーブルを示す平面図である。
【符号の説明】
【０１２７】
１３ａ  ＨＤＭＩ端子（接続端子）
１６、１７  被係止孔（孔）
１８、１９  被係止筒（被係止体）
２０  ＨＤＭＩケーブル（ケーブル）
２０ｃ  ケーブル
２０ｄ  コネクタ
２０ｅ  前端部（コネクタの正面）
２０ｆ  後端部（コネクタの背面）
２１、４０、５２  ハウジング
２２、４２  覆体
２２ｃ、４２ｃ  側覆部
２２ｄ  係合孔（係止部）
２３ａ、４１ａ、５６ａ  開口部
２３ｂ、４４ａ、７５ｂ  挿通孔
２４ｃ、４１ｄ  他側部（一方の側部）
２４ｄ  係合部（被係止部）
３０、３２  係止体
４１ｂ  背面開口部
４１ｃ  一側部
４４  背覆部
４５、４６  係止突起
５４  前ハウジング
６０、６１  側部（前ハウジングの側部）
６２、６４  案内溝（案内部）
６８  係止穴（係止部）
７０  後ハウジング
７２、７３  側部（後ハウジングの側部）
７４、７６  滑動部
８２  被係止部
【図１】
2010114006.tif 000003
【図２】
2010114006.tif 000004
【図３】
2010114006.tif 000005
【図４】
2010114006.tif 000006
【図５】
2010114006.tif 000007
【図６】
2010114006.tif 000008
【図７】
2010114006.tif 000009
【図８】
2010114006.tif 000010
【図９】
2010114006.tif 000011
【図１０】
2010114006.tif 000012
【図１１】
2010114006.tif 000013
【図１２】
2010114006.tif 000014
【図１３】
2010114006.tif 000015
【図１４】
2010114006.tif 000016
【図１５】
2010114006.tif 000017
【図１６】
2010114006.tif 000018
【図１７】
2010114006.tif 000019
【図１８】
2010114006.tif 000020